(57)【要約】【課題】  分割反転（回転）表示する表示装置において、ＯＳＤを用いた調整操作がしづらくならない表示装置を提供する。【解決手段】  １つの表示部を複数の画面に分割し、さらに該複数の分割画面をそれぞれ回転させて表示させる手段を備えている表示装置において、上記回転させた複数の分割画面の表示方向に応じて、操作用画面をオンスクリーン表示せしめる制御手段をさらに備える。【選択図】  図１
2007025477.tif 000002
【特許請求の範囲】
【請求項１】
１つの表示部を複数の画面に分割し、さらに該複数の分割画面をそれぞれ回転させて表示させる手段を備えている表示装置において、上記回転させた複数の分割画面の表示方向に応じて、操作用画面をオンスクリーン表示せしめる制御手段をさらに備えたことを特徴とする表示装置。
【発明の詳細な説明】
【技術分野】
【０００１】
本発明は、表示装置に関し、特に１つの表示部を上下、あるいは左右に２分割して、各分割画面の表示をそれぞれ上下、あるいは左右に逆さまに分割回転表示せしめる表示装置に関する。
【背景技術】
【０００２】
従来より、表示装置をテーブルのように平置きした際、通常表示の他に、これを複数人数で見やすいように複数の画面に分割して、さらに各分割画面の表示をそれぞれ回転して表示せしめる表示機能を有する表示装置が提案されている。例えば、特開平５−１９７５０７号公報には、１つの表示部を第1の画面と、第2の画面とに分割し、さらに第2の画面の表示方向を第1の画面の表示方向に対して反転させる手段を備えているポータブルコンピュータが提案されている。
【０００３】
また表示装置では、通常、輝度やコントラスト等の各種画質調整等を操作者に容易に行わしめるために、表示画面上に操作メニュー等を合成（オーバーレイ）して表示するＯＳＤ（オンスクリーンディスプレイ）機能が搭載されている。
【特許文献１】特開平５−１９７５０７号公報
【発明の開示】
【発明が解決しようとする課題】
【０００４】
しかしながら、上記分割反転（回転）表示する場合において、上記ＯＳＤ画像を合成すると、ＯＳＤを用いた調整操作がしづらくなる問題があった。この問題について図3を用いて説明する。
【０００５】
図3(a)は入力画像3.1（図においてＡＢＣＤと記載された画像）上にＯＳＤ画像3.2を合成した後、分割反転処理する場合の構成例を示しているが、この場合、入力画像3.1およびＯＳＤ画像3.2（“ＯＳＤ表示”と記載された画像）の片側半分（例えば入力画像3.1の“ＡＢ”およびＯＳＤ画像3.2の“ＯＳＤ”と記載された領域）のみが、左右にそれぞれ上下反転表示される（3.4参照）。従って、入力画像3.1のみならず、ＯＳＤ画像3.2も片側半分（“ＯＳＤ表示”のうち“ＯＳＤ”の部分）しか表示されないため、画質調整等の調整操作を行う際に操作しづらくなってしまう。
【０００６】
また図3(b)は入力画像3.5（図において“ＡＢＣＤ”と記載された画像）を反転処理した後に、ＯＳＤ画像3.7（“ＯＳＤ表示”と記載された画像）を合成する場合の構成例を示しているが、この場合、入力画像3.5とＯＳＤ画像3.7が同方向に表示されている側の操作者は問題ないが、入力画像3.5とＯＳＤ画像3.7が反対方向に表示されている側の操作者は、ＯＳＤ画像が上下反対に表示されるために、画質調整等を行う際に操作しづらくなってしまう。
【０００７】
本発明は上述の点に鑑み、上記分割反転（回転）表示する表示装置において、ＯＳＤを用いた調整操作がしづらくならない表示装置を提供することを目的とする。
【課題を解決するための手段】
【０００８】
本発明にかかる表示装置第１の実施の形態では、
ＯＳＤ画像を生成するＯＳＤ画像生成手段と、
上記ＯＳＤ画像生成手段により生成されたＯＳＤ画像を入力画像上に合成する画像合成手段と、
上記合成された画像を複数の領域に分割して、さらに各分割領域の表示をそれぞれ反転（回転）する画像分割反転手段と、
上記分割反転された画像を表示する表示手段と、
操作者からの操作入力を受けつける外部入力手段と、
上記外部入力手段より操作者からの操作を受け、分割反転表示時には、ＯＳＤ画像生成手段を制御して、各分割領域中にＯＳＤ表示が収まるようにＯＳＤのサイズ、位置を制御する制御手段とを有する。
【０００９】
また本発明にかかる画像表示装置第２の実施の形態では、
入力画像を複数の領域に分割して、さらに各分割領域の表示をそれぞれ反転（回転）する画像分割反転手段と、
ＯＳＤ画像を生成するＯＳＤ画像生成手段と、
上記ＯＳＤ画像生成手段により生成されたＯＳＤ画像を、上記分割反転された画像上に合成する画像合成手段と、
上記合成された画像を表示する表示手段と、
操作者からの操作入力を受けつける外部入力手段と、
上記外部入力手段より操作者からの操作を受け、分割反転表示時には、ＯＳＤ画像生成手段を制御して、各分割領域のそれぞれの表示方向に応じたＯＳＤ表示ができるように、ＯＳＤのサイズ、位置、表示レイアウトを制御する制御手段とを有する。
【発明の効果】
【００１０】
本発明の第１の実施の形態は、ＯＳＤ画像を合成後に分割反転処理する構成であるが、各分割反転領域中にＯＳＤ表示が収まるようにＯＳＤのサイズ、位置を制御することによって、操作者がＯＳＤを用いた調整に必要な表示の全てを、各分割画面の入力画像と同じ方向に表示することができる。これにより、どの分割反転画像を見ている操作者もＯＳＤを用いた調整操作が可能となる。
【００１１】
また、本発明第２の実施の形態は、入力画像を分割反転処理した後にＯＳＤ画像を合成する構成であるが、各分割反転領域それぞれにＯＳＤ表示が収まるようにＯＳＤのサイズ、レイアウトを制御することにより、操作者がＯＳＤを用いた調整に必要な表示の全てを、各分割画面の入力画像と同じ方向に表示することができる。これにより、第１の実施の形態同様、どの分割反転画像を見ている操作者もＯＳＤを用いた調整操作が可能となる。
【００１２】
即ち、本発明によれば、分割反転（回転）表示する機能を有する表示装置において、ＯＳＤを用いた調整操作を行っても、操作しずらくなることが無い表示装置を提供する可能となる。
【発明を実施するための最良の形態】
【００１３】
次に、本発明の詳細を実施例の記述に従って説明する。
【００１４】
＜第1の実施の形態＞
以下、図４のブロック図を参照して本発明第1の実施の形態にかかる表示装置について説明する。図４のブロックは、ＯＳＤ画像生成手段4.1、画像合成手段4.2、画像分割反転手段4.3、表示手段4.4、外部入力手段4.5、制御手段4.6からなる。ただし、図において実線は信号線、破線は制御線を示すものとする。
【００１５】
なお、本発明第1の実施の形態は、入力画像とＯＳＤ画像の合成後に分割反転を行う構成である。
【００１６】
（ＯＳＤ画像生成手段）
ＯＳＤ画像生成手段4.1は、後述する制御手段4.6からの制御により、所望のフォント（キャラクタ）サイズ、位置に、予めＲＯＭ化されたフォントおよびキャラクタにより構成されるＯＳＤ表示画像（映像信号、同期信号）を生成して後述する画像合成手段4.2に出力する。
【００１７】
通常表示時には図6の概念図に示すように、入力画像6.1（図６において“ＡＢＣＤ”と記載された画像）に合わせた表示サイズ、フォント（キャラクタ）サイズのＯＳＤ画像6.2（図６において“ＯＳＤ表示”と記載された画像）を生成して出力する。
【００１８】
他方、分割反転表示時には図1、図７の概念図に示すように、分割表示される領域に合わせた（収まる）、フォント（キャラクタ）サイズ、位置、表示レイアウトのＯＳＤ画像1.2、1.6、7.2（“ＯＳＤ表示”と記載された画像）を生成して出力する。
【００１９】
ここでフォントサイズとしては、例えば図１、図7の例では通常時の半分のサイズに設定される。
【００２０】
位置としては、例えば左右2分割の図1(a)の例では左右に半分の領域（1.2参照）、上下2分割の図１(b)の例では上下に半分の領域（1.6参照）、上下左右に4分割の図7の例では上下左右に半分ずつの領域に収まる位置（7.2参照）に設定される。
【００２１】
この際出力するＯＳＤ画像全体の表示サイズとしては、上記入力画像と同じサイズとすると後述する画像合成手段4.2での合成が容易となる（図1(a)の例では1.2の右半分、図1(b)の例では1.6の下半分、図7の例では7.2の右半分および下半分の領域には何も表示されない画像）。
【００２２】
（画像合成手段）
画像合成手段4.2は、上記入力画像と上記ＯＳＤ画像生成手段4.1から出力された上記ＯＳＤ表示画像を合成して後述する画像分割反転手段4.3に出力する。ここにおける合成の方法としては、入力画像上にＯＳＤ画像をオーバーレイしても良いし、あるいは所望の比率でアルファブレンドしても良い。
【００２３】
（画像分割反転手段）
画像分割反転手段4.3は、上記画像合成手段4.2から入力された合成画像を、図1、図7の概念図に例を示すように、複数の領域に分割し、各分割画面に同じ分割領域の画像を表示方向を反転（回転）させて表示できるように処理し、表示手段4.4に出力表示させる。
【００２４】
例えば図1(a)の例では左右2分割し、左半分の画像を左右どちらの領域にも表示させるが、右半分の分割画面には表示方向を上下に反転させて表示させる（1.4参照）。
【００２５】
図1(b)の例では上下2分割し、上半分の画像を上下どちらの領域にも表示させるが、上半分の分割画面には表示方向を上下に反転させて表示させる（1.8参照）。
【００２６】
図7の例では上下左右に4分割し、左上の画像を４つのどの領域にも表示させるが、左下の領域を中心にそれぞれ90度ずつ回転させて表示させる（7.4参照）。
【００２７】
もちろん分割、反転（回転）方法およびどの領域の画像を全てに表示させるかは、上述した例以外でもかまわない。
【００２８】
（外部入力手段）
外部入力手段4.5は、操作者がリモコンやキーパッド等を用いて行った操作入力を受け、後述する制御手段4.6に出力する。ここで操作者が行う操作とは、ＯＳＤを用いた画質や表示設定といった調整操作および、通常表示と分割反転表示との切り替え等である。
【００２９】
（制御手段）
続いて制御手段4.6にかかる通常表示と分割反転表示の切り替えについて、例えば通常表示、分割反転を上述した左右2分割、上下2分割、4分割でそれぞれ行うモード（以下、それぞれ通常表示モード、左右2分割モード、上下2分割モード、4分割モードとする）を有する場合について図8のフロー図を参照して説明する。
【００３０】
制御手段4.6は、上記外部入力手段4.5から操作者の操作を受け、操作者が左右2分割モードを選択した場合には（Ｓ8.2）、上記ＯＳＤ画像生成手段4.1を左右2分割モードで動作するように制御し（Ｓ8.3）、さらに上記画像分割反転手段4.3を左右2分割モードで動作するように制御する（Ｓ8.4）。
【００３１】
そうでなく、操作者が上下2分割モードを選択した場合には（Ｓ8.5）、上記ＯＳＤ画像生成手段4.1ならびに上記画像分割反転手段4.3を上下2分割モードで動作するように制御する（Ｓ8.6,Ｓ8.7）。
【００３２】
同様に操作者が4分割モードを選択した場合には、上記ＯＳＤ画像生成手段4.1ならびに上記画像分割反転手段4.3を４分割モードで動作するように制御する（Ｓ8.8,Ｓ8.9）。
【００３３】
さらに操作者が通常表示モード（分割および反転を行わない）を選択した場合には、上記ＯＳＤ画像生成手段4.1ならびに上記画像分割反転手段4.3を通常表示モードで動作するように制御する（Ｓ8.10,Ｓ8.11）。
【００３４】
以上通常表示、左右2分割、上下2分割、4分割の各表示モードを有する場合について説明したが、もちろんその他の分割反転モードを有してもかまわない。
【００３５】
また、制御手段4.6は操作者からの操作を受け、画質（輝度、コントラスト等）や表示設定（表示位置や、表示サイズ等）等の調整を容易ならしめるためのＯＳＤ表示を、上記ＯＳＤ画像生成手段4.1を制御して出力させる。
【００３６】
＜第２の実施の形態＞
続いて、図５のブロック図を参照して本発明第２の実施の形態にかかる表示装置について説明する。図５のブロックは、画像分割反転手段5.1、ＯＳＤ画像生成手段5.2、画像合成手段5.3、表示手段5.4、外部入力手段5.5、制御手段5.6からなる。ただし、図において実線は信号線、破線は制御線を示すものとする。
【００３７】
なお、本発明第1の実施の形態が、入力画像とＯＳＤ画像の合成後に分割反転を行う構成であったのに対し、本発明第２の実施の形態は、入力画像の分割反転後にＯＳＤ画像の合成を行う構成である。
【００３８】
（画像分割反転手段）
画像分割反転手段5.1は、入力画像を、図２の概念図に例を示すように、複数の領域に分割し、各分割画面に同じ分割領域の画像を表示方向を反転（回転）させて表示できるように処理し、後述する画像合成手段5.3に出力する。
【００３９】
該画像分割反転手段5.1における入力画像の分割処理、および反転（回転）処理の詳細については第1の実施の形態と同様であるため説明を省略する。
【００４０】
（ＯＳＤ画像生成手段）
ＯＳＤ画像生成手段5.2は、第1の実施の形態同様、後述する制御手段5.6からの制御により、所望のフォント（キャラクタ）サイズ、位置、表示レイアウト（画面構成）で、予めＲＯＭ化されたフォントおよびキャラクタにより構成されるＯＳＤ表示画像（映像信号、同期信号）を生成して後述する画像合成手段5.3に出力する。
【００４１】
通常表示時には図6の概念図に示すように、入力画像6.1（図６において“ＡＢＣＤ”と記載された画像）に合わせた表示サイズ、フォント（キャラクタ）サイズのＯＳＤ画像6.2（図６において“ＯＳＤ表示”と記載された画像）を生成して出力する。
【００４２】
他方、分割反転表示時には図２の概念図に示すように、分割表示される領域（図2(a)は左右2分割、図2(b)は上下2分割）ごとに合わせた、フォント（キャラクタ）サイズ、表示レイアウトのＯＳＤ画像2.3、2.7（“ＯＳＤ表示”と記載された画像）を生成して出力する。
【００４３】
ここでフォントサイズとしては、例えば図２の上下または左右2分割の例では通常時の半分のサイズに設定される。
【００４４】
表示レイアウトとしては、例えば左右2分割の図２(a)の例では、左右それぞれの領域に入力画像の表示方向に合わせてそれぞれ上下反対に（2.3参照）、上下2分割の図２(b)の例では上下それぞれの領域に入力画像の表示方向に合わせてそれぞれ上下反対に表示レイアウトされる（2.7参照）。
【００４５】
因みに、本発明第1の実施の形態では、ＯＳＤ画像合成後に分割反転処理がなされるため、片方の分割領域分のＯＳＤ表示のみ生成すれば（1.2、1.6、7.2）、これがもう片方の分割領域にも上下反転されて表示された（1.4、1.8、7.4）が、本発明第2の実施の形態では、分割反転処理後にＯＳＤ画像を合成するため、分割される領域ごとのＯＳＤ画像（2.3、2.7）を、入力画像の表示方向を考慮して生成する。
【００４６】
（画像合成手段）
画像合成手段5.3は、上記画像分割反転手段5.1 において分割および反転（回転）処理された入力画像と、上記ＯＳＤ画像生成手段5.2から出力された上記ＯＳＤ表示画像を合成して表示手段5.4に出力表示させる。ここにおける合成の方法としては、第1の実施の形態同様、入力画像上にＯＳＤ画像をオーバーレイしても良いし、あるいは所望の比率でアルファブレンドしても良い。
【００４７】
（外部入力手段）
外部入力手段5.5は、第1の実施の形態同様、操作者がリモコンやキーパッド等を用いて行った操作入力を受け、後述する制御手段4.6に出力する。ここで操作者が行う操作とは、ＯＳＤを用いた画質や表示設定といった調整操作および、通常表示と分割反転表示との切り替え等である。
【００４８】
（制御手段）
制御手段5.6は、外部入力手段5.5を通じて取得した操作者からの操作入力に応じて、第1の実施の形態で説明した通常表示と分割反転表示の切り替え制御、ならびに画質（輝度、コントラスト等）や表示設定（表示位置や、表示サイズ等）等の調整を容易ならしめるためのＯＳＤ表示を、上記ＯＳＤ画像生成手段5.2を制御して出力させる。
【００４９】
なお、通常表示と分割反転表示の切り替え制御の詳細については、第1の実施の形態と同様であるため説明を省略する。
【図面の簡単な説明】
【００５０】
【図１】本発明第1の実施の形態にかかる分割反転表示について説明するための概念図
【図２】本発明第２の実施の形態にかかる分割反転表示について説明するための概念図
【図３】本発明の解決すべき課題について説明するための概念図
【図４】本発明第1の実施の形態にかかる構成例を示すブロック図
【図５】本発明第２の実施の形態にかかる構成例を示すブロック図
【図６】本発明にかかる通常表示について説明するための概念図
【図７】本発明第1の実施の形態にかかる分割反転表示について説明するための概念図
【図８】本発明の実施の形態にかかる制御手段について説明するためのフロー図
【符号の説明】
【００５１】
1.1  入力画像
1.2  ＯＳＤ画像
1.3  分割反転処理
1.4  表示画像
1.5  入力画像
1.6  ＯＳＤ画像
1.7  分割反転処理
1.8  表示画像
2.1  入力画像
2.2  分割反転処理
2.3  ＯＳＤ画像
2.4  表示画像
2.5  入力画像
2.6  分割反転処理
2.7  ＯＳＤ画像
2.8  表示画像
3.1  入力画像
3.2  ＯＳＤ画像
3.3  分割反転処理
3.4  表示画像
3.5  入力画像
3.6  分割反転処理
3.7  ＯＳＤ画像
3.8  表示画像
4.1  ＯＳＤ画像生成手段
4.2  画像合成手段
4.3  画像分割反転手段
4.4  表示手段
4.5  外部入力手段
4.6  制御手段
5.1  画像分割反転手段
5.2  ＯＳＤ画像生成手段
5.3  画像合成手段
5.4  表示手段
5.5  外部入力手段
5.6  制御手段
6.1  入力画像
6.2  ＯＳＤ画像
6.3  表示画像
7.1  入力画像
7.2  ＯＳＤ画像
7.3  分割反転処理
7.4  表示画像
【図１】
2007025477.tif 000003
【図２】
2007025477.tif 000004
【図３】
2007025477.tif 000005
【図４】
2007025477.tif 000006
【図５】
2007025477.tif 000007
【図６】
2007025477.tif 000008
【図７】
2007025477.tif 000009
【図８】
2007025477.tif 000010